【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
超音波を発信する発信手段と、
前記発信手段から発信されて記録材を介した超音波を受信する受信手段と、
前記発信手段から同一の記録材のそれぞれ異なる位置に向けて複数回超音波を発信させ、記録材を介して前記受信手段によって受信された複数の超音波に基づいて記録材の表面性を判別する制御手段を有することを特徴とする記録材判別装置。
【請求項２】
前記受信手段は、受信した超音波に応じて信号を出力し、前記制御手段は、前記受信手段から出力された複数の信号に基づいて、記録材の表面性を判別することを特徴とする請求項１に記載の記録材判別装置。
【請求項３】
前記制御手段は、前記受信手段から出力された複数の前記信号のピーク値に基づいて、記録材の表面性を判別することを特徴とする請求項２に記載の記録材判別装置。
【請求項４】
前記制御手段は、前記受信手段から出力された複数の前記信号の積分値に基づいて、記録材の表面性を判別することを特徴とする請求項２に記載の記録材判別装置。
【請求項５】
前記制御手段は、複数の前記信号のピーク値又は複数の前記信号の積分値の変化量に基づいて、記録材の表面性を判別することを特徴とする請求項３又は４に記載の記録材判別装置。
【請求項６】
前記制御手段は、複数の前記信号のピーク値の中の最大値と最小値の差分に基づいて、記録材の表面性を判別することを特徴とする請求項５に記載の記録材判別装置。
【請求項７】
前記制御手段は、前記受信手段から出力された複数の前記信号の標準偏差又は分散に基づいて、記録材の表面性を判別することを特徴とする請求項２に記載の記録材判別装置。
【請求項８】
前記制御手段は、前記受信手段から出力された複数の前記信号の平均値に基づいて、記録材の坪量を判別することを特徴とする請求項１乃至７のいずれか１項に記載の記録材判別装置。
【請求項９】
超音波を発信する発信手段と、
前記発信手段から発信された超音波を受信する受信手段と、
前記発信手段と前記受信手段との間に記録材がない状態で、前記発信手段から超音波を発信させ、前記受信手段によって受信された第１の超音波と、前記発信手段と前記受信手段との間に記録材がある状態で、前記発信手段から同一の記録材のそれぞれ異なる位置に向けて複数回超音波を発信させ、前記受信手段によって受信された複数の第２の超音波に基づき、記録材の表面性を判別する制御手段と、を有することを特徴とする記録材判別装置。
【請求項１０】
前記受信手段は、受信した前記第１の超音波と前記第２の超音波に応じてそれぞれ第１の信号と第２の信号を出力し、前記制御手段は、前記受信手段から出力された複数の信号に基づいて、記録材の表面性を判別することを特徴とする請求項９に記載の記録材判別装置。
【請求項１１】
前記制御手段は、前記受信手段から出力された前記第１の信号と複数の前記第２の信号とのそれぞれの比に基づいて、記録材の表面性を判別することを特徴とする請求項１０に記載の記録材判別装置。
【請求項１２】
前記制御手段は、前記第１の信号のピーク値と複数の前記第２の信号のピーク値とのそれぞれの比に基づいて、記録材の表面性を判別することを特徴とする請求項１１に記載の記録材判別装置。
【請求項１３】
前記制御手段は、前記第１の信号と複数の前記第２の信号とのそれぞれの比の変化量に基づいて、記録材の表面性を判別することを特徴とする請求項１１又は１２に記載の記録材判別装置。
【請求項１４】
前記制御手段は、複数の比の中の最大値と最小値の差分に基づいて、記録材の表面性を判別することを特徴とする請求項１１又は１２に記載の記録材判別装置。
【請求項１５】
前記制御手段は、前記第１の信号と、既知の環境において前記発信手段と前記受信手段との間に記録材がない状態で、前記発信手段から超音波を発信させ、前記受信手段によって受信され出力された第３の信号の比に基づいて、前記第１の信号と前記第２の信号の比を補正することを特徴とする請求項１０乃至１４のいずれか１項に記載の記録材判別装置。
【請求項１６】
前記発信手段から超音波を発信させるための駆動信号を送信する送信手段と、
前記駆動信号のパルス振幅を調整する調整手段と、を備え、
前記制御手段は、現在の環境において前記発信手段と前記受信手段との間に記録材がない状態で、前記発信手段から超音波を発信させ調整した第１のパルス振幅の値と、既知の環境において前記発信手段と前記受信手段との間に記録材がない状態で、前記発信手段から超音波を発信させ調整した第２のパルス振幅の値とを測定し、前記第１のパルス振幅の値と前記第２のパルス振幅の値の比に基づいて、前記第１の信号と前記第２の信号の比を補正することを特徴とする請求項１０乃至１４のいずれか１項に記載の記録材判別装置。
【請求項１７】
前記発信手段は記録材の第一の位置に向けて超音波を発信し、記録材が移動した後、前記発信手段は記録材の前記第一の位置とは異なる第二の位置に向けて超音波を発信することを特徴とする請求項１乃至１６のいずれか１項に記載の記録材判別装置。
【請求項１８】
前記受信手段は、記録材を透過した超音波を受信することを特徴とする請求項１乃至１７のいずれか１項に記載の記録材判別装置。
【請求項１９】
画像を形成する画像形成手段と、
超音波を発信する発信手段と、
前記発信手段から発信されて記録材を介した超音波を受信する受信手段と、
前記発信手段から同一の記録材のそれぞれ異なる位置に向けて複数回超音波を発信させ、記録材を介して前記受信手段によって受信された複数の超音波に基づいて、記録材の表面性を判別し、判別した表面性に基づいて、前記画像形成手段の画像形成条件を制御する制御手段を有することを特徴とする画像形成装置。
【請求項２０】
画像を形成する画像形成手段と、
超音波を発信する発信手段と、
前記発信手段から発信された超音波を受信する受信手段と、
前記発信手段と前記受信手段との間に記録材がない状態で、前記発信手段から超音波を発信させ、前記受信手段によって受信された第１の超音波と、前記発信手段と前記受信手段との間に記録材がある状態で、前記発信手段から同一の記録材のそれぞれ異なる位置に向けて複数回超音波を発信させ、前記受信手段によって受信された複数の第２の超音波に基づいて、記録材の表面性を判別し、判別した表面性に基づいて前記画像形成手段の画像形成条件を制御する制御手段を有することを特徴とする画像形成装置。
【請求項２１】
前記画像形成条件とは、記録材に画像を転写する際の転写電圧、記録材の搬送速度、記録材に転写された画像を記録材に定着する際の定着温度であることを特徴とする請求項１９又は２０に記載の画像形成装置。
【請求項２２】
記録材を搬送する搬送手段を有し、
前記発信手段は記録材の第一の位置に向けて超音波を発信し、前記搬送手段によって搬送されることで記録材が移動した後、前記発信手段は記録材の前記第一の位置とは異なる第二の位置に向けて超音波を発信することを特徴とする請求項１９乃至２１のいずれか１項に記載の画像形成装置。
【手続補正２】
【補正対象書類名】明細書
【補正対象項目名】０００７
【補正方法】変更
【補正の内容】
【０００７】
上記目的を達成するために、本発明の記録材判別装置は、超音波を発信する発信手段と、前記発信手段から発信されて記録材を介した超音波を受信する受信手段と、前記発信手段から同一の記録材のそれぞれ異なる位置に向けて複数回超音波を発信させ、記録材を介して前記受信手段によって受信された複数の超音波に基づいて記録材の表面性を判別する制御手段を有することを特徴とする。